(57)【要約】【課題】少なくとも機器への設定データの不用意なデータ編集を防止することできる。【解決手段】システムコントローラは、システムが起動され、集中操作パネル１４上の図示しないシステム起動画面が操作されると、集中操作パネル１４にシステム設定画面１００を表示する。システム設定画面１００は、各種処理を実行する画面を選択する処理画面選択エリア１０１と、システム起動画面に戻るＥｘｉｔボタン１０２を備えて構成される。【選択図】図４
2006288954.tif 000002
【特許請求の範囲】
【請求項１】
複数の医療機器と、
前記複数の医療機器の設定情報を格納し、前記複数の医療機器を制御する機器制御手段と、
前記設定情報の編集及び、前記複数の医療機器への前記設定情報の設定を指示する情報制御手段とを備え、
前記機器制御手段は、前記情報制御手段の前記設定情報の編集の編集環境を制御する編集環境制御機能を有する
ことを特徴とする手術システム。
【請求項２】
前記編集環境制御機能は、前記情報制御手段での前記設定情報の編集と前記設定情報の設定とを分離する
ことを特徴とする請求項１に記載の手術システム。
【請求項３】
前記編集環境制御機能は、前記情報制御手段での前記設定情報の編集の有効／無効を設定する
ことを特徴とする請求項１に記載の手術システム。
【請求項４】
前記編集環境制御機能は、前記情報制御手段での前記設定情報の編集への許可認証行う
ことを特徴とする請求項１に記載の手術システム。
【請求項５】
前記編集環境制御機能は、前記情報制御手段での前記設定情報の編集の状態を告知する
ことを特徴とする請求項１ないし４に記載の手術システム。
【発明の詳細な説明】
【技術分野】
【０００１】
本発明は、複数の医療機器を制御する手術システムに関する。
【背景技術】
【０００２】
近年では内視鏡を用いた外科手術なども行われており、この内視鏡外科手術では、腹腔内を膨張させるために用いる気腹装置や手技を行うための処置装置である生体組織を切除、あるいは凝固する高周波焼灼装置などの手術機器、前述の装置に加えることによって、内視鏡で観察しながら各種処置が行える。
【０００３】
また、これら複数の各種機器を備えた、例えば特開２００２−２３３４９９号公報に開示されている内視鏡システムにおいては、複数の装置を容易に操作、制御することができ、システムの操作性を向上させるため、術者が滅菌域で各種機器の設定状態を確認するための表示手段として液晶パネルなどの表示パネルや、術者の指示に従ってナース等の補助者が非滅菌域で操作し各種機器の機能または設定値を変更するための遠隔操作手段としてリモコンなどの遠隔操作装置または各機器の操作スイッチをタッチパネルに設けた集中操作パネルを備えている。
【０００４】
このような従来の内視鏡システムにおいては、集中操作パネルには、各装置を操作するスイッチと、これらのスイッチを選択するためのカーソルが表示されている。
【特許文献１】特開２００２−２３３４９９号公報
【発明の開示】
【発明が解決しようとする課題】
【０００５】
しかしながら、従来の内視鏡システムでは、集中表示パネルにおいて、各装置の設定データを登録、編集及び機器への設定データの自動設定が可能であったが、前記全ての操作は、特定の設定画面上のみで行われていた。
【０００６】
すなわち、設定画面上の例えば編集ボタンあるいは自動設定ボタンは同等レベルに配置されるため、自動設定しようとして誤って編集ボタンを選択して不用意なデータ編集が行われたり、編集しようとして誤って自動設定ボタンを選択して編集前のデータが機器に設定されるといった問題がある。
【０００７】
本発明は、上記事情に鑑みてなされたものであり、少なくとも機器への設定データの不用意なデータ編集を防止することのできる手術システムを提供することを目的としている。
【課題を解決するための手段】
【０００８】
本発明の手術システムは、
複数の医療機器と、
前記複数の医療機器の設定情報を格納し、前記複数の医療機器を制御する機器制御手段と、
前記設定情報の編集及び、前記複数の医療機器への前記設定情報の設定を指示する情報制御手段とを備え、
前記機器制御手段は、前記情報制御手段の前記設定情報の編集の編集環境を制御する編集環境制御機能を有して
構成される。
【発明の効果】
【０００９】
本発明によれば、少なくとも機器への設定データの不用意なデータ編集を防止することができるという効果がある。
【発明を実施するための最良の形態】
【００１０】
以下、図面を参照しながら本発明の実施例について述べる。
【実施例１】
【００１１】
図１ないし図８は本発明の実施例１に係わり、図１は内視鏡外科手術システムの全体構成を示す構成図、図２は図１の内視鏡外科手術システムの各機器の接続関係を示すブロック図、図３は図２のシステムコントローラの処理を説明するフローチャート、図４は図３の処理で展開されるシステム設定画面を示す図、図５は図３の処理で展開される編集画面を示す第１の図、図６は図３の処理で展開される編集画面を示す第２の図、図７は図３の処理で展開される器設定データ編集画面を示す図、図８は図３の処理で展開される実行画面を示す図である。
【００１２】
図１に示すように、本実施例の内視鏡手術システムである内視鏡外科手術システム１は、患者３が横たわる手術台２の両側に第１のトロリー４及び第２のトロリー５とが配置され、これらの両トロリー４、５には観察、検査、処置、記録などを行う複数の内視鏡周辺機器が搭載されている。
【００１３】
第１のトロリー４には、第１のＴＶカメラ装置６、第１の光源装置７、高周波焼灼装置（以下、電気メス）８、気腹装置９、超音波観測装置１０、プリンタ１１、第１のモニタ１２、非滅菌域に配置され術者が機器の操作・設定状況の確認等を行う表示パネル１３、非滅菌域に配置されナースが医療機器の操作を集中して行う図示しないマウスとタッチパネル等のポインティングデバイスを有した集中操作パネル１４（情報制御手段）、システムコントローラ１５（機器制御手段）等が搭載され、それぞれの機器は、図示しないシリアルインターフェイスケーブルを介してシステムコントローラ１５と接続され、双方向通信を行えるようになっている。また、システムコントローラ１５には、マイク１８が接続できるようになっており、システムコントローラ１５はマイク１８から入力された音声を音声認識部（図示せず）により認識し、術者の音声により各機器を制御できるようになっている。
【００１４】
第１の光源装置７は照明光を伝送するライトガイドケーブル１６を介して第１の内視鏡１７に接続され、第１の光源装置７の照明光を第１の内視鏡１７のライトガイドに供給し、この第１の内視鏡１７の挿入部が刺入された患者３の腹部内の患部等を照明する。
【００１５】
この第１の内視鏡１７の接眼部には撮像素子を備えた第１のカメラヘッド１９が装着され、第１の内視鏡１７の観察光学系による患部等の光学像を第１のカメラヘッド１９内の撮像素子で撮像し、カメラケーブル２０を介して第１のＴＶカメラ装置６に伝送し、第１のＴＶカメラ装置６内の信号処理回路で信号処理して、映像信号を生成し、システムコントローラ１５を介して第１のモニタ１２に出力して患部等の内視鏡画像を表示できるようにしている。
【００１６】
システムコントローラ１５には、図示しないＭＯ等の外部媒体記録装置が内蔵されており、外部記録媒体（ＭＯ）に記録された画像を表示パネル１３に出力して表示できるようにしている。
【００１７】
また、システムコントコーラ１５には、図示しない病院内に設けられた院内ネットと図示しないケーブルで接続され、院内ネット上の画像データ等を表示パネル１３に出力して表示できるようにしている。
【００１８】
気腹装置９にはＣＯ2ボンベ２１が接続され、気腹装置９から患者３に延びた気腹チューブ２２を介して患者３の腹部内にＣＯ2ガスを供給できるようにしている。
【００１９】
第２のトロリー５には、第２のＴＶカメラ装置２３、第２の光源装置２４、超音波処置装置２５、ＶＴＲ２６  第２のディスプレイ２７、砕石装置２８、ポンプ３９、シェーバ３０及び中継ユニット２９等が搭載され、それぞれの機器は図示しないケーブルで中継ユニット２９に接続され、双方向の通信が可能になっている。
【００２０】
第２の光源装置２４は照明光を伝送するライトガイドケーブル３１を介して第２の内視鏡３２に接続され、第２の光源装置２４の照明光を第２の内視鏡３２のライトガイドに供給し、この第２の内視鏡３２の挿入部が刺入された患者３の腹部内の患部等を照明する。この第２の内視鏡３２の接眼部には撮像素子を備えた第２のカメラヘッド３３が装着され、第２の内視鏡３２の観察光学系による患部等の光学像を第２のカメラヘッド３３内の撮像素子で撮像し、カメラケーブル３４を介して第２のＴＶカメラ装置２３に伝送し、第２のＴＶカメラ装置２３内の信号処理回路で信号処理して、映像信号を生成し、第２のモニタ２７に出力して患部等の内視鏡画像を表示できるようにしている。
【００２１】
システムコントローラ１５と中継ユニット２９はシステムケーブル３５で接続されている。
【００２２】
さらに、システムコントローラ１５には術者が滅菌域から機器操作を行う術者用リモートコントローラ（以下、リモコンと記す）３６が接続されている。
【００２３】
図２に示すように、集中操作パネル１４、リモコン３６、第１のＴＶカメラ装置６、第１の光源装置７、電気メス８、気腹装置９、プリンタ１１及び超音波観測装置１０はそれぞれ通信ケーブル３８によりシステムコントローラ１５の通信Ｉ／Ｆ４１と接続され、データの送受を行うようになっており、また、第１のモニタ１２、第１のＴＶカメラ装置６、プリンタ１１及び超音波観測装置１０は映像ケーブル３９によりシステムコントローラ１５の映像スイッチャ４２に接続され映像信号を送受できるようになっている。また、集中操作パネル１４及び表示パネル１３はＶＧＡケーブル４０によりシステムコントローラ１５のグラフィックボード４６よりＶＧＡ画像を入力し後述するマルチモニタ画像を表示するようになっている。
【００２４】
第２のＴＶカメラ装置２３、第２の光源装置２４、超音波処置装置２５、ＶＴＲ２６、砕石装置２８、シェーバ３０及びポンプ３７は、通信ケーブル３８により中継ユニット２９に接続され、データの送受を行うようになっており、また、第２のモニタ２７、第２のＴＶカメラ装置２３及びＶＴＲ２６は映像ケーブル３９により中継ユニット２９接続され映像信号を送受できるようになっている。
【００２５】
また、中継ユニット２９はケーブル３５（図１参照）によりシステムコントローラ１５と接続され、ケーブル３５内の通信ケーブル３８を介してシステムコントローラ１５の通信Ｉ／Ｆ４１に接続され、ケーブル３５内の映像ケーブル３を介してシステムコントローラ１５の映像スイッチャ４２に接続されている。
【００２６】
システムコントローラ１５は、上記通信Ｉ／Ｆ４１、映像スイッチャ４２、グラフィックボード４６の他に、映像スイッチャ４２を介して画像データを取り込むキャプチャボード４４を備え、これら各回路がＣＰＵ４３により制御されている。また、システムコントローラ１５には外部記録媒体４５が接続可能となっており、ＣＰＵ４３より画像データを外部記録媒体に記録・再生できるようになっている。
【００２７】
次にこのように構成された本実施の形態の作用について説明する。
【００２８】
システムコントローラ１５では、ＣＰＵ４３により通信Ｉ／Ｆ４１を介して集中操作パネル１４、リモコン３６、第１のＴＶカメラ装置６、第１の光源装置７、電気メス８、気腹装置９、プリンタ１１及び超音波観測装置１０を制御すると共に、これら装置の状態を監視している。また、通信Ｉ／Ｆ４１を介し中継ユニット２９を経由することで、ＣＰＵ４３は同様に、第２のＴＶカメラ装置２３、第２の光源装置２４、超音波処置装置２５、ＶＴＲ２６、砕石装置２８、シェーバ３０及びポンプ３７を制御すると共に、これら装置の状態を監視している。
【００２９】
また、システムコントローラ１５では、ＣＰＵ４３の制御によりにより映像スイッチャ４２を介して第１のＴＶカメラ装置６、プリンタ１１及び超音波観測装置１０からの画像信号が、また中継ユニット２９を経由することで第２のＴＶカメラ装置２３及びＶＴＲ２６からの画像信号が選択的に第１のモニタ１２及びキャプチャボード４４に出力され、中継ユニット２９を経由することで第２のモニタ２７及びＶＴＲ２６に出力される。
【００３０】
そして、第１のモニタ１２及び第２のモニタ２７にはＣＰＵ４３により選択された所望の画像が表示され、また、ＣＰＵ４３はキャプチャボード４４によりこれら画像信号をデジタル変換して画像データとして取り込むと共に、映像スイッチャ４２を介し中継ユニット２９を経由することでＶＴＲ２６にこれら画像信号を録画する。また、ＣＰＵ４３は、取り込んだ画像データを圧縮等して外部記録媒体４５に記録すると共に、この外部記録媒体４５に記録したデータを読み出して伸張することができる。
【００３１】
システムコントローラ１５は、予め登録されている機器設定データによる制御可能な各機器自動設定、該機器設定データの編集ができる。
【００３２】
具体的には、システムコントローラ１５は、システムが起動され、集中操作パネル１４上の図示しないシステム起動画面が操作されると、編集環境制御機能により、図３に示すように、ステップＳ１にて集中操作パネル１４に図４に示すようなシステム設定画面１００を表示する。
【００３３】
このシステム設定画面１００は、図４に示すように、各種処理を実行する画面を選択する処理画面選択エリア１０１と、システム起動画面に戻るＥｘｉｔボタン１０２を備えて構成される。
【００３４】
以下、集中操作パネル１４上に表示される各ボタンは集中操作パネル１４のタッチパネル機能を用いて選択される。
【００３５】
そして、ステップＳ２にて処理画面選択エリア１０１内の処理ボタンが選択されたかどうか判断し、処理画面選択エリア１０１内の処理ボタンが選択されると、システムコントローラ１５は、ステップＳ３にて選択された処理画面を集中操作パネル１４にする。そして、ステップＳ４にて選択された処理画面上での処理を実行し、これらステップＳ２〜Ｓ４の処理をステップＳ５にてＥｘｉｔボタン１０２が選択されるまで繰り返す。
【００３６】
例えば、図４において、処理画面選択エリア１０１内の処理ボタンの１つである「データ設定の編集」ボタン１０３が選択されると、システムコントローラ１５は、ステップＳ３にて、処理画面の１つである図５に示すような編集画面１１０を集中操作パネル１４に表示する。
【００３７】
この編集画面１１０は、図５に示すように、例えば診療別に分類されたカテゴリが表示される。図５においては、カテゴリとして「第１外科」、「第２外科」、「第３外科」、「第４外科」、「第５外科」の１つのカテゴリが登録され、カテゴリの名称の近傍には、これらカテゴリを選択するためのカテゴリ毎のカテゴリ選択ボタン１１２が配置されたカテゴリ選択エリアが設けられている。
【００３８】
ステップＳ３における編集画面１１０上の処理として、例えば「第１外科」のカテゴリ選択ボタン１１２を選択した後、サーチ（検索）ボタン１１３を選択すると、図６に示すように、編集画面１１０上の検索データ表示エリア１１４に「第１外科」のカテゴリに登録されている機器設定データのファイルが検索され、例えば医師名別に分類された複数の設定データアイコン１１５として表示される。
【００３９】
そして、設定データアイコン１１５の、例えば医師名「Ａ先生」の設定データアイコン１１５を選択した後、エディット（編集）ボタン１１６を選択すると、図７に示すような機器設定データ編集画面１２０が集中操作パネル１４に表示される。機器設定データ編集画面１２０での編集処理が終了すると、図４に示したシステム設定画面１００に戻る。
【００４０】
同様に、例えば、処理画面選択エリア１０１内の処理ボタンの１つである「設定データの実行」ボタン１０４（図４参照）が選択されると、システムコントローラ１５は、ステップＳ３にて、処理画面の１つである図８に示すような実行画面１３０を集中操作パネル１４に表示する。
【００４１】
実行画面１３０においても、編集画面１１０と同様に、設定データアイコン１１５を検索／表示し、セット（実行）ボタン１３１を選択することで、設定データアイコン１１５で設定されている機器設定データを、対応する機器に自動設定し、その後、図４に示したシステム設定画面１００に戻る。
【００４２】
このように本実施例によれば、機器設定データの編集が可能な編集画面１１０と、機器設定データの自動設定が可能な実行画面１３０とをシステム設定画面１００により選択することができるので、編集を希望する際にはシステム設定画面１００から編集画面１１０を選択することが必要となり、不用意なデータの編集を防止することができる。また、編集前の機器設定データを不用意に機器に設定することを防止できる。
【００４３】
なお、設定データアイコンが示す機器設定データのファイルを検索は、
（１）全ファイル検索モード：
登録済み機器設定データのファイルが所定数以下の場合
全ての機器設定データのファイルを検索
（２）カテゴリ別検索モード：
登録済み機器設定データのファイルが所定数を超えている場合
カテゴリ毎に検索
というように検索対象を設定するようにしてもよい。
【００４４】
また、本実施例では、図示しないＩＣカード等の個人認証手段により、希望する機器設定データのファイルの設定データアイコンの表示、機器設定データの機器への自動設定が可能である。
【００４５】
さらに、本実施例では、機器設定データを図示しないＰＣカード等のメディアに保存し、このメディアを別の内視鏡手術システムに保存することも可能である。ここで、メディアを用いて別の内視鏡手術システムに登録する際には、メディアに保存されている機器設定データのカテゴリと、別の内視鏡手術システムに登録されている機器設定データのカテゴリとを比較し、メディアに保存されている機器設定データを別の内視鏡手術システムのカテゴリ毎に保存する。
【実施例２】
【００４６】
図９ないし図１２は本発明の実施例２に係わり、図９はシステムコントローラの処理を説明するフローチャート、図１０は図９の処理で展開される自動設定画面を示す第１の図、図１１は図９の処理で展開される自動設定画面を示す第２の図、図１２は図９の処理で展開される自動設定画面の変形例を示す図である。
【００４７】
実施例２は、構成は実施例１と同じであるので、異なる点のみ説明する。
【００４８】
図９に示すように、本実施例では、システムコントローラ１５は、システムが起動され、集中操作パネル１４上の図示しないシステム起動画面が操作されると、図９に示すように、ステップＳ１１にて集中操作パネル１４に図１０に示すような自動設定画面１４０を表示する。
【００４９】
図１０に示すように、この自動設定画面１４０は、実施例１の、図６に示した例えば編集画面１１０とほとんど同じ構成であるが、自動設定画面１４０には、Ｅｘｉｔボタン１０２、セット（実行）ボタン１３１と、エディット（編集）ボタン１１６を有効／無効に設定する編集機能変更ボタン１４１が設けられている。
【００５０】
そして、システムコントローラ１５は、ステップＳ１２にてデフォルト設定として自動設定画面１４０のエディット（編集）ボタン１１６のデータ編集フラグ＝０（無効）とし、ステップＳ１３にてエディット（編集）ボタン１１６を、例えば編みかけ表示により無効表示とする。また、編集機能設定ボタン１４１の近傍にエディット（編集）ボタン１１６が無効である旨を告知する「禁止」等の文字表示１４２を表示する（図１０参照）。
【００５１】
次に、システムコントローラ１５は、ステップＳ１４にて自動設定画面１４０の編集機能変更ボタン１４１が選択されたかどうか判断する。編集機能変更ボタン１４１が選択去れない場合はステップＳ２０に進む。
【００５２】
そして、システムコントローラ１５は、編集機能変更ボタン１４１が選択されたと判断すると、ステップＳ１５にて、現在のデータ編集フラグの状態を確認する。
【００５３】
データ編集フラグが＝０（無効）ならば、システムコントローラ１５は、ステップＳ１６にてデータ編集フラグ＝１（有効）とし、ステップＳ１７にて、図１１に示すように、エディット（編集）ボタン１１６を、例えば通常表示により有効表示としステップＳ２０に進む。このとき、編集機能設定ボタン１４１の近傍にエディット（編集）ボタン１１６が有効である旨を告知する「許可」等の文字表示１４２を表示する。
【００５４】
データ編集フラグが＝１（有効））ならば、システムコントローラ１５は、ステップＳ１８にてデータ編集フラグ＝０（無効）とし、ステップＳ１９にて、エディット（編集）ボタン１１６を、例えば編みかけ表示により無効表示とし、編集機能設定ボタン１４１の近傍にエディット（編集）ボタン１１６が無効である旨を告知する「禁止」等の文字表示１４２を表示し（図１０参照）ステップＳ２０に進む。
【００５５】
そして、システムコントローラ１５は、ステップＳ２０にて、このようにエディット（編集）ボタン１１６の有効／無効が設定された状態での自動設定画面１４０において所定所処理を実行し、これらステップＳ１４〜Ｓ２０の処理をステップＳ２１にてＥｘｉｔボタン１０２が選択されるまで繰り返す。設定データアイコン１１５の検索及び表示方法は実施例１と同じである。
【００５６】
なお、エディット（編集）ボタン１１６が有効で、図１２に示すように、例えば医師名「Ｃ先生」の設定データアイコン１１５ｃが選択され、機器設定データ編集画面１２０（図７参照）で機器設定データの編集が行われると、「Ｃ先生」の設定データアイコン１１５ｃが他の設定データアイコン１１５と異なる表示形態（色を変えた表示形態、点滅させた表示形態等）となる。
【００５７】
このように本実施例では、編集機能変更ボタン１４１を設けているので、実施例１と同様に不用意なデータの編集を防止することができる。
【実施例３】
【００５８】
図１３ないし図１７は本発明の実施例３に係わり、図１３は集中操作パネルに表示される設定データ登録画面を示す図、図１４は図１３の設定データ登録画面で登録されたパスワードに基づくシステムコントローラの処理を説明するフローチャート、図１５は図１４の処理で展開される自動設定画面を示す第１の図、図１６は図１４の処理で展開される自動設定画面を示す第２の図、図１７は図１４の処理で展開される自動設定画面を示す第３の図である。
【００５９】
実施例３は、構成は実施例１と同じであるので、異なる点のみ説明する。
【００６０】
本実施例では、システムコントローラ１５は、システムが起動されると、集中操作パネル１４上の図示しないシステム起動画面が操作から、図１３に示すような設定データ登録画面１５０を集中操作パネル１４に表示する。
【００６１】
この設定データ登録画面１５０は、設定データアイコン１１５が指定する設定データのファイルへのアクセスを規制するパスワード設定画面であって、設定データ登録画面１５０上のキーボードエリア１５１の各キーボタンを用いて、アイコン名入力エリア１５２及びカテゴリ名入力エリア１５３に、アイコン名、カテゴリ名を入力すると共に、パスワード入力エリア１５４にパスワードを入力することで、設定データのファイルへのアクセスを登録したパスワードで規制する。
【００６２】
図１３では、カテゴリ「第１外科」の設定データアイコン「Ａ先生」へのアクセスがパスワード「ＸＸＸＸＸＸＸＸＸ」により規制する設定を登録する。
【００６３】
このようにパスワードが設定した環境で、システムコントローラ１５は、集中操作パネル１４上の図示しないシステム起動画面が操作されると、図１４に示すように、ステップＳ３１にて集中操作パネル１４に図１５に示すような自動設定画面１５０を表示する。
【００６４】
図１５に示すように、この自動設定画面１５０は、実施例１の、図６に示した例えば編集画面１１０とほとんど同じ構成であるが、自動設定画面１４０には、Ｅｘｉｔボタン１０２、セット（実行）ボタン１３１が設けられている。
【００６５】
そして、システムコントローラ１５は、ステップＳ３２にて自動設定画面１５０上で設定データアイコン１１５を選択した後、エディット（編集）ボタン１１６が選択されたかどうか判断し、エディット（編集）ボタン１１６が選択されるとステップＳ３３に進み、エディット（編集）ボタン１１６が選択されない場合はステップＳ３９に進む。
【００６６】
ステップＳ３３では、システムコントローラ１５は、図１６に示すように、自動設定画面１４０上にパスワード認証ウインドウ１６１を重畳表示し、このパスワード認証ウインドウ１６１の「ＹＥＳ」ボタン１６２が選択されてパスワードの認証要求があるとステップＳ３４に進み、パスワード認証ウインドウ１６１の「Ｃａｎｃｅｌ」ボタン１６２が選択されるとステップＳ３２に戻る。
【００６７】
ステップＳ３４では、システムコントローラ１５は、図１７に示すようなパスワード確認画面１７０を集中操作パネル１４に表示する。パスワード確認画面１７０は、キーボードエリア１７１の各キーボタンを用いてパスワード入力エリア１７２にパスワードを入力し、Ｓｅｔボタン１７３を選択することで、システムコントローラ１５に設定データアイコン１１５のパスワードを出力する。
【００６８】
そして、システムコントローラ１５は、ステップＳ３５にてパスワード確認画面１７０で入力されたパスワードが選択された設定データアイコン１１５のパスワードと一致するかの認証を行い、認証できた場合は、ステップＳ３６にて集中操作パネル１４に自動設定画面１４０（図１５参照）を表示し、編集処理を許可してステップＳ３９に進む。
【００６９】
また、システムコントローラ１５は、ステップＳ３７では、集中操作パネル１４に図示しないパスワードエラー表示を所定時間表示した後、自動設定画面１４０（図１５参照）を表示し、編集処理を禁止してステップＳ３９に進む。
【００７０】
ステップＳ３９では、システムコントローラ１５は、自動設定画面１４０での処理を実行し、これらステップＳ３２〜Ｓ３９の処理をステップＳ４０にてＥｘｉｔボタン１０２が選択されるまで繰り返す。設定データアイコン１１５の検索及び表示方法は実施例１と同じである。
【００７１】
このように本実施例では、パスワードを要求するので、実施例１と同様に不用意なデータの編集を防止することができる。
【００７２】
本発明は、上述した実施例に限定されるものではなく、本発明の要旨を変えない範囲において、種々の変更、改変等が可能である。
【図面の簡単な説明】
【００７３】
【図１】本発明の実施例１に係る内視鏡外科手術システムの全体構成を示す構成図
【図２】図１の内視鏡外科手術システムの各機器の接続関係を示すブロック図
【図３】図２のシステムコントローラの処理を説明するフローチャート
【図４】図３の処理で展開されるシステム設定画面を示す図
【図５】図３の処理で展開される編集画面を示す第１の図
【図６】図３の処理で展開される編集画面を示す第２の図
【図７】図３の処理で展開される器設定データ編集画面を示す図
【図８】図３の処理で展開される実行画面を示す図
【図９】本発明の実施例２に係るシステムコントローラの処理を説明するフローチャート
【図１０】図９の処理で展開される自動設定画面を示す第１の図
【図１１】図９の処理で展開される自動設定画面を示す第２の図
【図１２】図９の処理で展開される自動設定画面の変形例を示す図
【図１３】本発明の実施例３に係る集中操作パネルに表示される設定データ登録画面を示す図
【図１４】図１３の設定データ登録画面で登録されたパスワードに基づくシステムコントローラの処理を説明するフローチャート
【図１５】図１４の処理で展開される自動設定画面を示す第２の図
【図１６】図１４の処理で展開される自動設定画面を示す第１の図
【図１７】図１４の処理で展開される自動設定画面を示す第３の図
【符号の説明】
【００７４】
１…内視鏡外科手術システム
４…第１のトロリー
５…第２のトロリー
６…第１のＴＶカメラ装置
７…第１の光源装置
８…電気メス
９…気腹装置
１０…超音波観測装置
１１…プリンタ
１２…第１のモニタ
１４…集中操作パネル
１５…システムコントローラ
１６、３１…ライトガイドケーブル
１７…第１の内視鏡
１８…マイク
１９…第１のカメラヘッド
２０…カメラケーブル
２１…ＣＯ2ボンベ
２３…第２のＴＶカメラ装置
２４…第２の光源装置
２５…超音波処置装置
２６…ＶＴＲ
２７…第２のモニタ
２８…砕石装置
２９…中継ユニット
３０…シェーバ
３２…第２の内視鏡
３３…第２のカメラヘッド
３６…リモコン
３７…ポンプ
３８…通信ケーブル
３９…映像ケーブル
４０…ＶＧＡケーブル
４１…通信Ｉ／Ｆ
４２…映像スイッチャ
４３…ＣＰＵ
４４…キャプチャボード
４５…外部記録媒体
４６…グラフィックボード
１００…システム設定画面
１０１…処理画面選択エリア
１０２…Ｅｘｉｔボタン
【図１】
2006288954.tif 000003
【図２】
2006288954.tif 000004
【図３】
2006288954.tif 000005
【図４】
2006288954.tif 000006
【図５】
2006288954.tif 000007
【図６】
2006288954.tif 000008
【図７】
2006288954.tif 000009
【図８】
2006288954.tif 000010
【図９】
2006288954.tif 000011
【図１０】
2006288954.tif 000012
【図１１】
2006288954.tif 000013
【図１２】
2006288954.tif 000014
【図１３】
2006288954.tif 000015
【図１４】
2006288954.tif 000016
【図１５】
2006288954.tif 000017
【図１６】
2006288954.tif 000018
【図１７】
2006288954.tif 000019